(57)【要約】【課題】  回線におけるノイズパターンが変化してもその都度再トレーニングを必要としない安定した通信が実現可能なマルチキャリア方式によるＡＤＳＬ伝送システムを提供する。【解決手段】  複数のキャリアの各々に対応する多重化可能ビット数を決定する変復調部と、前記変復調部は通信状態が変化した場合に対応した新たな多重化可能ビット数を決定し、前記新たな多重化可能ビット数と前記多重化可能ビット数とを演算処理する演算処理部と、前記演算処理の結果である多重化ビット数を記憶するメモリとを具備し、前記変復調部は、前記多重化ビット数に対応してデータ伝送を行うマルチキャリア伝送装置を用いてＡＤＳＬによる情報通信を行う。【選択図】        図２
2005223448.tif 000002
【特許請求の範囲】
【請求項１】
複数のキャリアの各々に対応する多重化可能ビット数を決定する変復調部と、前記変復調部は通信状態が変化した場合に対応した新たな多重化可能ビット数を決定し、
前記新たな多重化可能ビット数と前記多重化可能ビット数とを演算処理する演算処理部と、
前記演算処理の結果である多重化ビット数を記憶するメモリと
を具備し、
前記変復調部は、前記多重化ビット数に対応してデータ伝送を行う
マルチキャリア伝送装置。
【請求項２】
請求項１に記載のマルチキャリア伝送装置において、
前記変復調部は、ノイズの受信によるリンク切断が発生した場合、前記リンク切断に応答して再トレーニングを実行し、前記複数のキャリアの各々に対応する新たな多重化可能ビット数を決定し、
前記演算処理部は、前記新たな多重化可能ビット数と前記多重化可能ビット数とを演算処理し、
前記メモリは、前記演算処理結果に基づいて前記メモリに格納された前記多重化ビット数を更新し、
前記変復調部は、前記更新された多重化ビット数に対応してデータ伝送を行う
マルチキャリア伝送装置。
【請求項３】
請求項１または２に記載のマルチキャリア伝送装置において、
前記メモリは、前記変復調部がトレーニングを実行したときのノイズ情報を記憶し、
前記変復調部は、ノイズの受信に応答して前記メモリを検索し、検索の結果前記ノイズの対応するノイズ情報を検出しなかった場合、再トレーニングを実行する
マルチキャリア伝送装置。
【請求項４】
請求項１乃至３の何れか１項に記載のマルチキャリア伝送装置において、
前記演算処理が、積和演算処理である
マルチキャリア伝送装置。
【請求項５】
請求項１乃至４の何れか１項に記載のマルチキャリア伝送装置において、
前記変復調部は、データ伝送速度を監視し、所定の通信速度と比較して前記データ伝送速度が低速になったとき、前記メモリを初期化する
マルチキャリア伝送装置。
【請求項６】
複数のキャリアの各々に対応する多重化可能ビット数を決定するステップと、
通信状態が変化した場合に対応した新たな多重化可能ビット数を決定するステップと、
前記新たな多重化可能ビット数と前記多重化可能ビット数とを演算処理するステップと、
前記演算処理の結果である多重化ビット数を記憶するステップと、
前記多重化ビット数に対応してデータ伝送を行うステップと
を具備するマルチキャリア伝送方法をコンピュータで実行可能なプログラム。
【請求項７】
請求項６に記載のプログラムにおいて、
ノイズの受信によるリンク切断が発生した場合、前記リンク切断に応答して再トレーニングを実行するステップと、
前記再トレーニングによって前記複数のキャリアの各々に対応する新たな多重化可能ビット数を決定するステップと、
前記新たな多重化可能ビット数と前記多重化可能ビット数とを演算処理するステップと、
前記演算処理結果に基づいて前記メモリに格納された前記多重化ビット数を更新するステップと、
前記更新された多重化ビット数に対応してデータ伝送を行うステップと
を具備するマルチキャリア伝送方法をコンピュータで実行可能なプログラム。
【請求項８】
請求項６または７に記載のプログラムにおいて、
トレーニングを実行したときのノイズ情報を記憶するステップと、
ノイズの受信に応答して前記ノイズ情報を検索するステップと、
検索の結果前記ノイズの対応するノイズ情報を検出しなかった場合、再トレーニングを実行するステップ
を具備するマルチキャリア伝送方法をコンピュータで実行可能なプログラム。
【請求項９】
請求項６乃至８の何れか１項に記載のプログラムにおいて、
前記演算処理が、積和演算処理である
を具備するマルチキャリア伝送方法をコンピュータで実行可能なプログラム。
【請求項１０】
請求項６乃至９の何れか１項に記載のプログラムにおいて、
データ伝送速度を監視するステップと、
所定の通信速度と比較して前記データ伝送速度が低速になったとき、前記メモリを初期化するステップ
を具備するマルチキャリア伝送方法をコンピュータで実行可能なプログラム。
【発明の詳細な説明】
【技術分野】
【０００１】
本発明は、マルチキャリア伝送装置に関し、特に各キャリアの多重化可能なビット数の設定方法に関する。
【背景技術】
【０００２】
現在の社会生活において、情報通信ネットワークの存在は必要不可欠なものである。それにともなってネットワークに関連する技術は急速に進歩をしている。わが国におけるインターネットの利用状況においては、ＤＳＬ（Digital  Subscriber  Line：デジタル加入者線）を用いた情報通信の形態が現在主流となっている。
【０００３】
ＤＳＬにはＡＤＳＬ（Asymmetric  DSL：非対称デジタル加入者線）、ＳＤＳＬ（Symmetric  DSL：対称型デジタル加入者線）、ＨＤＳＬ（High  Bit  Rate  DSL：高速デジタル加入者線）、ＶＤＳＬ（Very  High  Bit  Rate  DSL：超高速デジタル加入者線）が存在する。中でも、ＡＤＳＬは既存の電話線を利用するので、インフラ整備への投資規模が小さくてすみ、なおかつ音声信号とは異なる帯域を使用するので電話とデータ通信の同時使用が可能であるなどの点において利用者の要求に適応するため、急速に普及が進んでいる。通信速度の点に関しても、１〜１２Ｍｂｐｓ（下り）の高速通信による、映像、音声、文字などが一体となったマルチメディア情報の伝送が可能である。
【０００４】
ＡＤＳＬにおける一般的な信号伝送において、元信号の形態のままでは伝送媒体に整合せず、伝送品質の劣化や伝送効率の低下を引き起こす。従って通常は信号変換装置を用いて元信号を伝送媒体に適した形態に変換する。この変換工程を変調と呼び、再びもとの信号に戻す工程を復調と呼ぶ。
【０００５】
ＡＤＳＬに用いられる変調方式には、ＱＡＭ（Quadrature  Amplitude  Modulation）、ＣＡＰ（Carrierless  Amplitude  Phase  modulation）、ＤＭＴ（Discrete  Multi  Tone  modulation）が存在する。ＱＡＭは位相が直交する二つのキャリア（搬送波）を振幅変調してデータを伝送する技術である。ＣＡＰは、ＱＡＭを改良した変調方式でキャリアの振幅と位相を変えてデータを転送する技術である。送信と受信に異なる周波数を使用するＦＤＭ（Frequency  Division  Multiplex）を利用する。
【０００６】
ＤＭＴ（Discrete  Multi  Tone  modulation）は、マルチキャリア伝送とも呼ばれ、使用帯域を細分割し、分割された各周波数チャネル（bin）をＱＡＭで変調する技術である。フルレートＤＭＴでは、上り・下りを４kHz幅の２５５のキャリアに分割してデータを伝送する。分割された各々のキャリアに最大１５ビットを割当てる。
【０００７】
マルチキャリア伝送は、キャリアの利用に余裕を持たせることが可能であり、干渉などの影響がある周波数を避けて別のキャリアを使用するなどのフレキシブルデータ伝送が行える点において優れている。
【０００８】
マルチキャリア伝送を利用した従来のネットワークシステムの構成を図１に示す。図１を参照すると、この従来のマルチキャリア伝送方式のＡＤＳＬ加入者側伝送装置１０２において、変復調部１０４は電話線１０３を介してＡＤＳＬ局側伝送装置１０１とマルチキャリア方式でデータ伝送する。また、プロトコル制御部１０５はＡＤＳＬ加入者側伝送装置１０２のユーザインタフェースを提供するための通信プロトコル変換をする。
【０００９】
従来のマルチキャリア方式による伝送方式は、回線におけるノイズパターンが変化し、データ伝送エラーが増加すると、一旦リンクを切断し再トレーニングというシーケンスを必要とする。つまり、再トレーニングのたびに通信が途絶えてしまうということである。マルチキャリア方式において、各キャリアに多重化するビット数はトレーニング信号の受信時に回線の状態を見て決定され、ノイズの変動が発生すると、再度トレーニング信号を使って調整しなおす必要があるためである（例えば、特許文献１参照。）。
【００１０】
回線におけるノイズパターンが変化してもその都度再トレーニングを必要としない安定した通信が実現可能なマルチキャリア方式によるＡＤＳＬ伝送システムが望まれる。
【００１１】
【特許文献１】特開２０００−１０１５３６号公報
【発明の開示】
【発明が解決しようとする課題】
【００１２】
本発明が解決しようとする課題は、回線におけるノイズパターンが変化してもその都度再トレーニングを必要としない安定した通信が実現可能なマルチキャリア方式によるＡＤＳＬ伝送システムを提供することにある。
【課題を解決するための手段】
【００１３】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１４】
複数のキャリアの各々に対応する多重化可能ビット数を決定する変復調部（４）と、前記変復調部（４）は通信状態が変化した場合に対応した新たな多重化可能ビット数を決定し、前記新たな多重化可能ビット数と前記多重化可能ビット数とを演算処理する演算処理部（７）と、前記演算処理の結果である多重化ビット数を記憶するメモリ（６）とを具備し、前記変復調部（４）は、前記多重化ビット数に対応してデータ伝送を行うマルチキャリア伝送装置を用いてＡＤＳＬによる情報通信を行う。
【００１５】
そのマルチキャリア伝送装置において、前記変復調部（４）は、ノイズの受信によるリンク切断が発生した場合、前記リンク切断に応答して再トレーニングを実行し、前記複数のキャリアの各々に対応する新たな多重化可能ビット数を決定し、前記演算処理部（７）は、前記新たな多重化可能ビット数と前記多重化可能ビット数とを演算処理し、前記メモリ（６）は、前記演算処理結果に基づいて前記メモリ（６）に格納された前記多重化ビット数を更新し、前記変復調部（４）は、前記更新された多重化ビット数に対応してデータ伝送を行うマルチキャリア伝送装置を用いてＡＤＳＬによる情報通信を行う。
【００１６】
これによって、一度でも検出したことのあるノイズに関する情報を記憶することが可能になる。装置を使用する環境によって発生するノイズというものは様々に異なるが、一度発生したノイズは再度発生する可能性があるので、記憶したノイズの情報をもとに再度発生するノイズを推定することが可能になる。
【００１７】
そのマルチキャリア伝送装置において、前記メモリ（６）は、前記変復調部（４）がトレーニングを実行したときのノイズ情報を記憶し、前記変復調部（４）は、ノイズの受信に応答して前記メモリ（６）を検索し、検索の結果前記ノイズの対応するノイズ情報を検出しなかった場合、再トレーニングを実行するマルチキャリア伝送装置を用いてＡＤＳＬによる情報通信を行う。
【００１８】
これによって、新規に検出したノイズに関する情報を記憶することが可能になる。装置を使用する環境によって発生するノイズというものは一定とは限らないので、発生したノイズが新規のノイズであった場合にはその新規ノイズを学習し記憶することで、記憶したノイズの情報をもとに再度発生するノイズを推定することが可能になる。
【００１９】
そのマルチキャリア伝送装置において、前記演算処理が、積和演算処理であるマルチキャリア伝送装置を用いてＡＤＳＬによる情報通信を行う。
【００２０】
そのマルチキャリア伝送装置において、前記変復調部（４）は、データ伝送速度を監視し、所定の通信速度と比較して前記データ伝送速度が低速になったとき、前記メモリ（６）を初期化するマルチキャリア伝送装置を用いてＡＤＳＬによる情報通信を行う。
【００２１】
これによって、一定の通信速度を確保することが可能になり、通信速度が低下した場合、自動的に通信速度を回復することができる。
【００２２】
複数のキャリアの各々に対応する多重化可能ビット数を決定するステップと、通信状態が変化した場合に対応した新たな多重化可能ビット数を決定するステップと、前記新たな多重化可能ビット数と前記多重化可能ビット数とを演算処理するステップと、前記演算処理の結果である多重化ビット数を記憶するステップと、前記多重化ビット数に対応してデータ伝送を行うステップとを具備するマルチキャリア伝送方法をコンピュータで実行可能なプログラムを用いてマルチキャリア伝送装置を動作させ、ＡＤＳＬによる情報通信を行う。
【００２３】
そのプログラムにおいて、ノイズの受信によるリンク切断が発生した場合、前記リンク切断に応答して再トレーニングを実行するステップと、前記再トレーニングによって前記複数のキャリアの各々に対応する新たな多重化可能ビット数を決定するステップと、前記新たな多重化可能ビット数と前記多重化可能ビット数とを演算処理するステップと、前記演算処理結果に基づいて前記多重化ビット数を更新するステップと、前記更新された多重化ビット数に対応してデータ伝送を行うステップとを具備するマルチキャリア伝送方法をコンピュータで実行可能なプログラムを用いてマルチキャリア伝送装置を動作させ、ＡＤＳＬによる情報通信を行う。
【００２４】
そのプログラムにおいて、トレーニングを実行したときのノイズ情報を記憶するステップと、ノイズの受信に応答して前記ノイズ情報を検索するステップと、検索の結果前記ノイズの対応するノイズ情報を検出しなかった場合、再トレーニングを実行するステップを具備するマルチキャリア伝送方法をコンピュータで実行可能なプログラムを用いてマルチキャリア伝送装置を動作させ、ＡＤＳＬによる情報通信を行う。
【００２５】
そのプログラムにおいて、データ伝送速度を監視するステップと、所定の通信速度と比較して前記データ伝送速度が低速になったとき、前記多重化ビット数を初期化するステップを具備するマルチキャリア伝送方法をコンピュータで実行可能なプログラムを用いてマルチキャリア伝送装置を動作させ、ＡＤＳＬによる情報通信を行う。
【発明の効果】
【００２６】
本発明は、過去のノイズパターンを記憶・学習し、過去に発生したノイズに対しあらかじめ発生を予測して各キャリア毎の多重化ビット数に制限を加えるため公衆回線のノイズパターンの変動による再トレーニングを回避できる効果がある。
【発明を実施するための最良の形態】
【００２７】
以下に図面を用いて本発明を実施するための最良の形態について述べる。
［実施の構成］
図２は、本発明のマルチキャリア伝送におけるネットワークシステムの構成を示すブロック図である。図２を参照すると、システムはＡＤＳＬ局側伝送装置１とＡＤＳＬ加入者側伝送装置２によって構成される。ＡＤＳＬ局側伝送装置１とＡＤＳＬ加入者側伝送装置２は互いに公衆回線３を介して接続する。ＡＤＳＬ加入者側伝送装置２はさらに変復調部４とプロトコル制御部５とメモリ６と演算処理部７とを備える。
【００２８】
ＡＤＳＬ局側伝送装置１は、マルチキャリア方式を使ってデータの送受信を行う局側装置である。スプリッターによる信号分離と、ＡＤＳＬ局側装置のＤSＬＡＭ（Digital  Subscriber  Line  Access  Multiplexer）によるデータ信号の多重化が行わる。これによって、多数の加入者からのデータ信号を集めてＮＯＣ（Network  Operation  Center）へ伝送する回線の使用効率を高める。また、データ信号は電話交換機を通らないので、電話使用料としての課金は発生しない。ＮＯＣではＡＴＭ（Asynchronous  Transfer  Mode）スイッチ（ＳＷ）、ＡＤＳＬアクセスサーバー、ＤＮＳ（Domain  Name  System）サーバーを介してインターネットに接続する。
【００２９】
ＡＤＳＬ加入者側伝送装置２は、マルチキャリア方式を使ってデータの送受信を行う加入者側伝送装置である。加入者側では、送受信される信号を周波数４kHz以下の電話音声信号と、３５kHz以上のデータ信号をスプリッターによって分離する。これによって電話とデータ通信の同時使用が可能になる。
【００３０】
公衆回線３は、ＡＤＳＬ局側伝送装置１とＡＤＳＬ加入者側伝送装置２に接続されマルチキャリアの信号の伝送路である。本実施の形態において加入者宅と電話局の間の信号伝送に使用される公衆回線３は電話線を例に述べるが、これは本発明のマルチキャリアの信号の伝送路を限定するものではない。
【００３１】
変復調部４は、本発明のマルチキャリアの信号を変換する信号変換機能ブロックである。トレーニングを行う場合にメモリ６に格納された情報を参照し、通信時の多重化ビット数を決定する。変復調部４は公衆回線３を介してトレーニング信号を送受信して各キャリアに多重可能なビット数を判断する。トレーニング終了後、変復調部４は決定したビット数を多重化してマルチキャリア信号を送受信を行う。
【００３２】
プロトコル制御部５は、変復調部４で復調されたデータのプロトコル変換と、ユーザデータのプロトコル変換を実行するプロトコル変換機能ブロックである。ＡＤＳＬ加入者側伝送装置２が接続する端末から出力された送信データのプロトコルを変換し、そのプロトコル変換されたデータを変復調部４に引き渡す。また変復調部４で復調されたデータのプロトコルを変換し、そのプロトコル変換されたデータをＡＤＳＬ加入者側伝送装置２が接続する端末へ出力する。
【００３３】
メモリ６は、各キャリアの多重化するビット数の上限値が格納されている記憶媒体である。半導体メモリ、磁気記憶媒体およびそれらに類する情報記憶装置によって構成される。メモリ６は、変復調部４が多重化ビット数を決定する際に、格納されている各キャリアの多重化するビット数の上限値を変復調部４が参照できるように格納する。またメモリ６は、変復調部４が受信したことがあるノイズパターンを記憶する。
【００３４】
演算処理部７は、演算処理機能ブロックである。通信時のビット情報をもとに新しい更新データの生成を行う。演算処理部７は生成された更新データに基づいてメモリ６に格納された各キャリアの多重化するビット数の上限値を更新するという動作を接続のたびに実行する。演算処理部７はメモリ６の上限値の内容を更新すること目的として変復調部４で再トレーニングを実施した際に決定した新たなビット多重情報と現在のメモリ６の情報の積和（ＡＮＤ）をとって結果でメモリ６の内容を更新する。
【００３５】
［実施の動作］
図３は、本発明のマルチキャリア伝送におけるネットワークシステムの動作を示す流れ図である。図３を参照すると、本発明の動作はＡＤＳＬ接続か確立していない状態から、接続を確立しようとすることで開始する。そのような状況は様々な場合が考えられるが、本実施の動作においては、開始の動作は電源の入っていないＡＤＳＬ加入者側伝送装置２に電源を入れた場合を例に述べる。
【００３６】
ステップＳ１０２において、ＡＤＳＬ加入者側伝送装置２ユーザー側でＡＤＳＬ加入者側伝送装置２の電源をオンにすると、電話局側にあるＡＤＳＬ局側伝送装置１との間で制御情報をやりとりするハンドシェイクを行い、その変復調部４は最初のトレーニングを実行する。
【００３７】
ステップＳ１０４において、変復調部４はトレーニングによって、ＡＤＳＬの伝送に使う多数のキャリアごとにノイズの状況などを調べる。ステップＳ１０６において、変復調部４は検出したノイズパターンに基づいて、伝送に使う多数のキャリアの各々で伝送する多重化可能ビット数を決める。変復調部４は決定した多重化可能ビット数を演算処理部７に通知し、ステップＳ１０８に進む。
【００３８】
ステップＳ１０８において、演算処理部７は変復調部４から通知された多重化可能ビット数と複数のキャリアの各々に初期設定された多重化可能ビット数との積和演算（ＡＮＤ処理）を実行する。積和演算が完了した演算処理部７は、その演算結果をメモリ６に出力する。ステップＳ１１０において、メモリ６は演算処理部７から出力された演算結果を格納する。また、メモリ６は格納した演算結果を変復調部４に通知する。
【００３９】
ステップＳ１１２において、変復調部４はメモリ６から通知された多重化可能ビット数がステップ１０６において決定した多重化可能ビット数と異なっていた場合、メモリ６から通知された多重化可能ビット数でデータの伝送を行う。変復調部４は常に多数のキャリアごとにノイズの状況などの監視を行う（ステップＳ１１４）。ステップＳ１１４において、変復調部４はノイズパターンの変化を検出した場合、検出したことを演算処理部７に通知し、処理はステップＳ１１６に進む。
【００４０】
ステップＳ１１６において変復調部４からのノイズパターンの変化を検出通知を受け取った演算処理部７はメモリ６に格納された情報に基づいて、以前に検出したノイズパターンかどうかを判断する。その結果、変化後のノイズパターンが以前に検出したノイズパターンであった場合、通信の確立を継続する。変化後のノイズパターンが以前に検出したノイズパターンと異なる場合、演算処理部７はそのノイズパターンが新たなノイズパターンである旨を変復調部４に通知し、処理はステップＳ１１８に進む。
【００４１】
これによって、過去に発生したノイズと同様のノイズの発生に対し、各キャリア毎の多重化ビット数に制限を加えるための再トレーニングを回避できる。
【００４２】
ステップＳ１１８において、演算処理部７は変復調部４から通知された、新たなノイズパターンである旨の通知に基づいて再トレーニングを実施する。変復調部４はその再トレーニングによって、ＡＤＳＬの伝送に使う多数のキャリアごとに伝送する新たな多重化可能ビット数を決める。変復調部４は決定した新たな多重化可能ビット数を演算処理部７に通知し、ステップＳ１２０に進む。
【００４３】
ステップＳ１２０において、その演算処理部７は変復調部４から通知された新たな多重化可能ビット数と、メモリ６に格納してある多重化可能ビット数との積和演算（ＡＮＤ処理）を実行する。積和演算が完了した演算処理部７は、その演算結果をメモリ６に出力する。ステップＳ１２２において、メモリ６は演算処理部７から出力された演算結果を格納する。また、メモリ６は格納した演算結果を変復調部４に通知する。変復調部４はメモリ６から通知された多重化可能ビット数でデータの伝送を行う。
【００４４】
以上の動作によって、過去のノイズパターンを記憶・学習し、過去に発生したノイズに対しあらかじめ発生を予測して各キャリア毎の多重化ビット数に制限を加えるため公衆回線のノイズパターンの変動による再トレーニングを回避できる。
【００４５】
次に図４、図５を用いてメモリ６の更新動作を説明する。図４、図５は実際の各キャリアごとの多重化ビット数を図式化したビットマップと呼ばれる図である。
【００４６】
まず、図２に示されているＡＤＳＬ加入者側伝送装置２において初期状態にあるとする。このときメモリ６の内容は、すべてのキャリアにおいて変復調部４で多重化可能なビット数（例えば、各キャリアとも１５ビットの状態）である。この状態で変復調部４がトレーニングを実施して通信状態となると、トレーニングを実施したときの回線のノイズパターン（第１ノイズパターン）を反映して図４に示すようなビットマップで通信状態となる。
【００４７】
図４は、キャリア番号７８番付近にノイズが存在していた場合の例を示すビットマップである。図４を参照すると、キャリア番号７８番を中心にして多重化されるビットの量が周辺のキャリアに比較して低下している。図４で示されるようなビットマップは演算処理部７で各キャリアごとに積和演算が実行され、初期値の全キャリア１５ビットのビットマップとの積和演算となり、図４に示すようなビットマップが演算結果としてメモリ６に格納される。
【００４８】
次に、回線のノイズパターンが第１ノイズパターンから、別のノイズパターンである第２ノイズパターンに変化した場合について述べる。変復調部４はノイズパターンに変化が発生したので再トレーニングを実施する。本発明では、メモリ６に図４のようなビットマップで各キャリアの上限値を制限するため、トレーニング終了後の変復調部４のビットマップは、図5のようになる。
【００４９】
このように、本発明は過去のビットマップ情報を記憶・蓄積しているので、この後ノイズパターンが第２ノイズパターンから第１ノイズパターンに変化した時、既に第１ノイズパターンで発生するキャリア番号７８番付近の多重化ビット数は低く制限が加えられているため、一旦検出したノイズに対しては、そのノイズに対応して多重化ビット数を制限するための再トレーニングを必要としない。
【００５０】
さらには、本実施例では、初期化機能が設けられているので、安定度よりも通信速度を優先したい場合にはメモリの初期化もできる。また、演算処理部７が行う演算処理は積和演算に限定されることはない。積和演算以外の演算方法、例えば2値の平均をとるという演算を適用してもよい。さらに演算対象としてキャリア番号を限定してから演算処理を実行してもよい。
【図面の簡単な説明】
【００５１】
【図１】従来のマルチキャリア伝送方式の構成を示すブロック図である。
【図２】本発明のマルチキャリア伝送方式の構成を示すブロック図である。
【図３】本発明のマルチキャリア伝送方式の動作を示す流れ図である。
【図４】第１ノイズパターンの公衆回線で通信したときのビットマップ例である
【図５】第１、第２ノイズパターンの双方に対応した本発明のビットマップ例である。
【符号の説明】
【００５２】
１  ＡＤＳＬ局側伝送装置
２  ＡＤＳＬ加入者側伝送装置
３  公衆回線
４  変復調部
５  プロトコル制御部
６  メモリ
７  演算処理部
【図１】
2005223448.tif 000003
【図２】
2005223448.tif 000004
【図３】
2005223448.tif 000005
【図４】
2005223448.tif 000006
【図５】
2005223448.tif 000007